(57)【要約】【課題】ＣＩＳスキャンモジュール構造の提供。【解決手段】本考案は画像検知ユニット及びサポートユニットを含む一種のＣＩＳスキャンモジュールを公開するものである。その中のサポートユニットはブッシュを有しており、ブッシュ上方に固定板が固定され、固定板の両端は外へ延びて弾力アームを形成している。前述の画像検知ユニットは固定板上方に設置され、周知のＣＩＳスキャンモジュールでの張力バネの機能を取って代わるものとして、画像検知ユニットがガラス面に密着するように、弾力アームは上へサポートする張力で画像検知ユニットの下表面に突き当たっている。また当該弾力アームは画像検知ユニットの上に直接に固定されているため、従来の設計での機械公差による隙間を避けることができる。同時に、画像検知ユニットが稼動中に発する振動と騒音を抑止することもできる。【選択図】図１
0003132611.tif 000002
【実用新案登録請求の範囲】
【請求項１】
画像検知ユニット、サポートユニット及び耐磨耗性シートを含み、
該画像検知ユニットは前、裏表面と上、下表面を有し、前、裏表面の真ん中から外へ伸びて一対の固定柱を形成し、この画像検知ユニットの上表面の四つの角にそれぞれの締め穴が設けられ、
該サポートユニットはブッシュを有し、ブッシュ上方に固定板が設けられ、該固定板の両側からそれぞれに外へ延伸して弾力アームを形成し、該固定板の前、後両端は中央から上へ曲がって一対の係止シートを形成し、係止シート上に固定槽が設けられ、そして、
該耐磨耗性シートは条状薄片を有し、薄片の両端から下へ伸びて一対のロッキングピンを形成し、
ここで、前述のサポートユニットの固定板はブッシュの上方に固定され、画像検知ユニットは固定板の上方に置かれ、画像検知ユニットの側壁は固定シートの内壁に密接し、画像検知ユニット上の固定柱はサポートユニットの固定槽に収められ、前述の弾力アームは画像検知ユニットの下表面に当接し、耐摩耗性シートは画像検知ユニットの両端の上方に設けられており、その中、耐摩耗性シート状のロッキングピンは画像検知ユニットの両端の締め穴内に納められていることを特徴とするＣＩＳスキャンモジュール構造。
【請求項２】
当該固定板は係止シートの両側からそれぞれに上へ曲がって固定シートを形成していることを特徴とする請求項１記載のＣＩＳスキャンモジュール構造。
【請求項３】
前記固定板の片端にある固定シートは外へ伸びて固定レバーを形成し、当該固定レバーは画像検知ユニットの一側面に当接していることを特徴とする請求項２記載のＣＩＳスキャンモジュール構造。
【請求項４】
当該固定板の他端にある固定シートは内壁から中へ突出して垂直の固定突起を形成していることを特徴とする請求項３記載のＣＩＳスキャンモジュール構造。
【請求項５】
前記の耐磨耗性シートの条状薄片の両端は弧状になっていることを特徴とする請求項１記載のＣＩＳスキャンモジュール構造。
【請求項６】
画像検知ユニット及びサポートユニットを含み、
該画像検知ユニットは前、裏表面と上、下表面を有し、前、裏表面の真ん中から外へ伸びて一対の固定柱を形成し、
該サポートユニットはブッシュを有し、ブッシュ上方に固定板が設けられており、固定板の両側からそれぞれに外へ延伸して弾力アームを形成し、当該固定板の前、後両端は中央から上へ曲がって一対の係止シートを形成し、係止シート上に固定槽が設け、
その中、前述のサポートユニットの固定板は一体成型であり、ブッシュの上方に位置し、画像検知ユニットは固定板の上方に置かれ、その中、画像検知ユニット上の固定柱は前述の固定槽に収められ、前述の弾力アームは画像検知ユニットの下表面に当接していることを特徴とするＣＩＳスキャンモジュール構造。
【請求項７】
前記の固定板は係止シートの両側から上へ曲がって固定シートを形成していることを特徴とする請求項６記載のＣＩＳスキャンモジュール構造。
【請求項８】
当該弾力アームは固定板の両側から外へ延びるようになり、且つ固定板の同側にある弾力アームの末端から外へ伸びてから、上へ曲がって中へ延伸した後に、耐磨耗性シートで連結されていることを特徴とする請求項７記載のＣＩＳスキャンモジュール構造。
【請求項９】
当該固定板の片端にある固定シートは外側から外へ伸びて固定レバーを形成し、その中、当該固定レバーは画像検知ユニットの一側面に当接していることを特徴とする請求項８記載のＣＩＳスキャンモジュール構造。
【請求項１０】
当該固定板の他側にある固定シートは内壁から中へ突出して垂直して上向ける固定突起を形成していることを特徴とする請求項９記載のＣＩＳスキャンモジュール構造。
【請求項１１】
当該弾力アームは固定板の両側の真ん中から外へ伸びることによって形成されていることを特徴とする請求項７記載のＣＩＳスキャンモジュール構造。
【請求項１２】
前述の固定シートは外側の下方から外へ伸びてストッパーを形成し、ストッパーの末端の下側は連結板で接続され、連結板は末端から上へ曲がり、そして中へ伸びて耐摩耗性シートを形成し、固定シートは外側の上方から外へ伸びて固定レバーを形成していることを特徴とする請求項１１記載のＣＩＳスキャンモジュール構造。
【請求項１３】
当該固定板の片端にある固定板は内壁から中へ突出して垂直して上向ける固定突起を形成していることを特徴とする請求項１２記載のＣＩＳスキャンモジュール構造。
【請求項１４】
当該固定板の他端にある固定シートは外側から、外へ伸びて固定レバーを形成し、当該固定レバーは画像検知ユニットの一側面に当接していることを特徴とする請求項１３記載のＣＩＳスキャンモジュール構造。
【請求項１５】
当該ストッパーは固定シートとの間での連結箇所に条状の凹み口が設けられ、当該固定レバーはこの凹み口の中に納められていることを特徴とする請求項１４記載のＣＩＳスキャンモジュール構造。
【考案の詳細な説明】
【技術分野】
【０００１】
本考案は一種のスキャンモジュールに関するものであり、特にＣＩＳ（接触式画像検知装置、ＣＩＳと呼ばれている）スキャンモジュールに関するものである。
【背景技術】
【０００２】
スキャナーはコンピューターの入力設備の一種であり、その機能は画像、写真、フィルムおよび文字の原稿資料などの書面材料や実物の外観を走査してから、コンピューターへ入力して書類として保存することである。現に購入できるスキャナーはＣＣＤ（光電カップリング検知装置）スキャナーとＣＩＳスキャナーに分かれている。前者はレンズを介して光信号を電気信号へ変えて映像を形成させるものである。後者はＣＩＳがスキャン書類の正面を密着に接して走査する方式のものである。ＣＩＳスキャナーは光学レンズのシステムを含めていないため、体積も、電気消費量もＣＣＤスキャナーより小さい。移動オフィスには最適である。電源を投入すれば、いつでもスキャン作業ができるので、ここ数年では、快速に発展している。
【０００３】
図７では、従来のＣＩＳスキャンモジュール４０を示している。この構造は画像検知ユニット４１、ホルダー４２、ブッシュ４３、耐摩耗性シート４４および張力バネ４５を含めている。画像検知ユニット４１は画像の読み取りに使われ、張力バネ４５は最適の走査画像品質が確保できるように、画像検知ユニット４１をガラスと密着させる。耐摩耗性シート４４は画像検知ユニット４１の間に設けられ、画像検知ユニット４１がガラス上をスムーズに移動できるようにさせる。ホルダー４２は優れた剛性を持っており、画像検知ユニット４１を支えている。ブッシュ４３は画像検知ユニット４１がガイドロッド上をスムーズに滑られるような最適の潤滑性を持っている。その中、画像検知ユニット４１には係止ピン４１１が設けられ、ホルダー４２には係止穴４２１があり、係止ピン４１１と噛み合うことにより、画像検知ユニットとホルダーを固定させている。
【０００４】
但し、従来のＣＩＳスキャンモジュールの部品が多いので、組み立ては複雑になりやすいだけでなく、公差の重なりで精度にも影響が出てしまう。従来のＣＩＳスキャンモジュールには機械の公差があるため、画像検知ユニットとホルダーの間に隙間ができてしまって固定できない問題がある。それで、画像検知ユニットの振動と騒音で画像の品質が不良になる場合があるので、常に隙間にスチロフォームを入れてこの問題を抑止しなければならない。
【考案の開示】
【考案が解決しようとする課題】
【０００５】
本考案の目的は前述の従来技術が持つ欠点に基づき、画像検知ユニット、耐摩耗性シート及びサポートユニットを含む一種のＣＩＳスキャンモジュールを提供することにある。画像検知ユニットは上表面、下表面、前表面と裏表面をもっている。上表面はスキャナー上の原稿受け部分の底に密着しており、画像検知ユニットは上表面の四つの角に締め穴が設けられ、固定の耐摩耗性シートと連結できる。また、前、裏表面の真ん中から外へ延び出して一対の固定柱を形成している。前述のサポートユニットはブッシュを有しており、ブッシュの上部に固定板が連結されている。固定板の両側は外へ延びて一対の弾力アームを形成している。固定板の前、後両端は中央にて上へ曲がって一対の係止シートを形成している。係止シートに固定槽がある。固定板は係止シートの両側において上へ曲がって二対の固定シートを形成している。固定板の片側の一対の固定シートの内壁から上へ伸びて固定レバーを形成している。前述の係止シートの内壁は画像検知ユニットの側壁に密接し、画像検知ユニットの側面にある固定柱は固定槽内に収められている。
【０００６】
本考案はもうひとつの目的がある。それは、画像検知ユニットとサポートユニットを含む一種のＣＩＳスキャンモジュールを提供することである。当該画像検知ユニットは上表面、下表面、前表面及び裏表面がある。その中、上表面はスキャナーの原稿受け部分の底に密接し、前、裏表面の真ん中から外へ突き出して一対の固定柱を形成している。そして、当該サポートユニットはブッシュを持っており、ブッシュ上に固定板が固定されている。固定板の両側はそれぞれの方向に外へ伸びて弾力アームを形成している。その中、当該弾力アームは外へ述べて上方に曲がった後、内部に延伸して耐摩耗性シートの構造を形成している。当該固定板の前、後両端は中央から上へ曲がって一対の係止シートを形成している。係止シートには固定槽が設けられている。固定板は係止シートの両側からそれぞれに上へ曲がって固定シートを形成している。固定板の片端の一対の固定シートの内壁から上へ伸びて垂直の固定突起を形成している。固定板のもう一端の一対の固定シートは外部へ延伸して固定レバーを形成している。当該係止シートは内壁と画像検知ユニットの側壁に密接し、画像検知ユニットの側面にある固定柱は固定槽内に収められている。
【０００７】
本考案はまたひとつの目的がある。それは画像検知ユニットとサポートユニットを含める一種のＣＩＳスキャンモジュールを提供することである。その中、当該サポートユニットはブッシュを有しており、ブッシュ上方に固定板が固定されている。この固定板の両側は外へ延びて一対の弾力アームを形成している。固定板の前、後両端は真ん中から上へ曲がって一対の係止シートを形成している。係止シートに定位槽が設けられ、固定板は係止シートの両側からそれぞれに上へ曲がって固定シートを形成している。固定板の一端にある一対の固定シートは内壁から上へ突出して垂直の固定突起を形成している。固定板のもう一端にある一対の定位シートは祖他側から上へ伸びて定位レバーを形成している。当該固定シートは下部から外へ伸びてストッパーを形成し、当該ストッパーは末端の下側周縁において連結板で接続されている。連結板の末端は中央から上へ曲がって中へ伸びて耐磨耗性シートを形成している。前述の係止シートは内壁が画像検知ユニットの側壁に密接しており、画像検知ユニットの側面上にある定位柱は定位槽に収められている。
【課題を解決するための手段】
【０００８】
請求項１の考案は、画像検知ユニット、サポートユニット及び耐磨耗性シートを含み、  該画像検知ユニットは前、裏表面と上、下表面を有し、前、裏表面の真ん中から外へ伸びて一対の固定柱を形成し、この画像検知ユニットの上表面の四つの角にそれぞれの締め穴が設けられ、
該サポートユニットはブッシュを有し、ブッシュ上方に固定板が設けられ、該固定板の両側からそれぞれに外へ延伸して弾力アームを形成し、該固定板の前、後両端は中央から上へ曲がって一対の係止シートを形成し、係止シート上に固定槽が設けられ、そして、
該耐磨耗性シートは条状薄片を有し、薄片の両端から下へ伸びて一対のロッキングピンを形成し、
ここで、前述のサポートユニットの固定板はブッシュの上方に固定され、画像検知ユニットは固定板の上方に置かれ、画像検知ユニットの側壁は固定シートの内壁に密接し、画像検知ユニット上の固定柱はサポートユニットの固定槽に収められ、前述の弾力アームは画像検知ユニットの下表面に当接し、耐摩耗性シートは画像検知ユニットの両端の上方に設けられており、その中、耐摩耗性シート状のロッキングピンは画像検知ユニットの両端の締め穴内に納められていることを特徴とするＣＩＳスキャンモジュール構造としている。
請求項２の考案は、当該固定板は係止シートの両側からそれぞれに上へ曲がって固定シートを形成していることを特徴とする請求項１記載のＣＩＳスキャンモジュール構造としている。
請求項３の考案は、前記固定板の片端にある固定シートは外へ伸びて固定レバーを形成し、当該固定レバーは画像検知ユニットの一側面に当接していることを特徴とする請求項２記載のＣＩＳスキャンモジュール構造としている。
請求項４の考案は、当該固定板の他端にある固定シートは内壁から中へ突出して垂直の固定突起を形成していることを特徴とする請求項３記載のＣＩＳスキャンモジュール構造としている。
請求項５の考案は、前記の耐磨耗性シートの条状薄片の両端は弧状になっていることを特徴とする請求項１記載のＣＩＳスキャンモジュール構造としている。
請求項６の考案は、画像検知ユニット及びサポートユニットを含み、
該画像検知ユニットは前、裏表面と上、下表面を有し、前、裏表面の真ん中から外へ伸びて一対の固定柱を形成し、
該サポートユニットはブッシュを有し、ブッシュ上方に固定板が設けられており、固定板の両側からそれぞれに外へ延伸して弾力アームを形成し、当該固定板の前、後両端は中央から上へ曲がって一対の係止シートを形成し、係止シート上に固定槽が設け、
その中、前述のサポートユニットの固定板は一体成型であり、ブッシュの上方に位置し、画像検知ユニットは固定板の上方に置かれ、その中、画像検知ユニット上の固定柱は前述の固定槽に収められ、前述の弾力アームは画像検知ユニットの下表面に当接していることを特徴とするＣＩＳスキャンモジュール構造としている。
請求項７の考案は、前記の固定板は係止シートの両側から上へ曲がって固定シートを形成していることを特徴とする請求項６記載のＣＩＳスキャンモジュール構造としている。
請求項８の考案は、当該弾力アームは固定板の両側から外へ延びるようになり、且つ固定板の同側にある弾力アームの末端から外へ伸びてから、上へ曲がって中へ延伸した後に、耐磨耗性シートで連結されていることを特徴とする請求項７記載のＣＩＳスキャンモジュール構造としている。
請求項９の考案は、当該固定板の片端にある固定シートは外側から外へ伸びて固定レバーを形成し、その中、当該固定レバーは画像検知ユニットの一側面に当接していることを特徴とする請求項８記載のＣＩＳスキャンモジュール構造としている。
請求項１０の考案は、当該固定板の他側にある固定シートは内壁から中へ突出して垂直して上向ける固定突起を形成していることを特徴とする請求項９記載のＣＩＳスキャンモジュール構造としている。
請求項１１の考案は、当該弾力アームは固定板の両側の真ん中から外へ伸びることによって形成されていることを特徴とする請求項７記載のＣＩＳスキャンモジュール構造としている。
請求項１２の考案は、前述の固定シートは外側の下方から外へ伸びてストッパーを形成し、ストッパーの末端の下側は連結板で接続され、連結板は末端から上へ曲がり、そして中へ伸びて耐摩耗性シートを形成し、固定シートは外側の上方から外へ伸びて固定レバーを形成していることを特徴とする請求項１１記載のＣＩＳスキャンモジュール構造としている。
請求項１３の考案は、当該固定板の片端にある固定板は内壁から中へ突出して垂直して上向ける固定突起を形成していることを特徴とする請求項１２記載のＣＩＳスキャンモジュール構造としている。
請求項１４の考案は、当該固定板の他端にある固定シートは外側から、外へ伸びて固定レバーを形成し、当該固定レバーは画像検知ユニットの一側面に当接していることを特徴とする請求項１３記載のＣＩＳスキャンモジュール構造としている。
請求項１５の考案は、当該ストッパーは固定シートとの間での連結箇所に条状の凹み口が設けられ、当該固定レバーはこの凹み口の中に納められていることを特徴とする請求項１４記載のＣＩＳスキャンモジュール構造としている。
【考案の効果】
【０００９】
本考案のＣＩＳスキャンモジュールはサポートユニットに弾力アームとブッシュが設置されている。弾力アームは上向けの張力があり、画像検知ユニットがガラス面に密接するように、画像検知ユニットの下表面に突き当たっている。これは従来の張力バネ機能を取り代わっている。しかも、運動方向に優れた剛性があるため、画像検知ユニットが稼動時の振動を抑止することができる。そして、弾力アームは画像検知ユニット上に直接に固定されているため、従来の設計における機械公差から生じた隙間を防ぐこともできる。これで、画像検知ユニットが稼動中に生じた振動と騒音を抑止することができる。
【考案を実施するための最良の形態】
【００１０】
図１と図２は本考案のＣＩＳスキャンモジュールの第一実施例である。本考案の第一実施例１０は画像検知ユニット１１、サポートユニット１２と耐摩耗性シート１３を含めている。
【００１１】
画像検知ユニット１１は大体長方形になっており、上表面１１１、下表面１１２、前表面１１３及び裏表面１１４を持っている。その中、上表面１１１はスキャナーの原稿受け部分の底に密接しいる。画像検知ユニット１１は上表面の四つの角にそれぞれの締め穴１１５が設けられている。また、前、裏表面１１３、１１４の真ん中位置から外へ突き出して一対の固定柱１１６が形成されている。
【００１２】
サポートユニット１２はブッシュ１２１を持っており、ブッシュ１２１の上に長方形の固定板１２２が固定されている。固定板１２２の両側は中央から外へ伸びて弾力アーム１２３を形成している。固定板１２２の前、後両端は中央から上へ曲がって一対の係止シート１２４を形成している。係止シート１２４に固定槽１２５が設けられている。固定板１２２は係止シート１２４の両側からそれぞれに上へ曲がって固定シート１２６を形成している。固定板１２２の片側にある一対の固定シート１２６は内壁から中へ突き出して垂直の固定突起１２６１を形成し、固定板１２２の他側にある一対の固定シート１２６は外側へ伸びて固定レバー１２７を形成している。
【００１３】
耐摩耗性シート１３は両端が弧状の条状薄片１３１があり、条状薄片１３１の両端から下へ突き出して一対のロッキングピン１３２を形成している。
【００１４】
本考案のＣＩＳスキャンモジュールの第一実施例１０は組み立てる際に、画像検知ユニット１１をサポートユニット１２の固定板１２２の上方に置き、画像検知ユニット１１の前、裏表面１１３、１１４を固定シート１２６と係止シート１２４の内壁に密着させる。ここで、画像検知ユニット１１上の固定柱１１６は前述の固定槽１２５に収められているし、固定レバー１２７は画像検知ユニット１１の裏表面１１４に突き当たって接している。前述の弾力アーム１２３は画像検知ユニット１１の下表面１１２に突き当たっている。耐摩耗性シート１３は画像検知ユニット１１の両端の上方に設置されている。そして、耐摩耗性シート１３上のロッキングピン１３２は画像検知ユニット１１の両端にある締め穴１１５内に収められている。
【００１５】
固定レバー１２７の弾力の働きにより、画像検知ユニット１１は固定突起１２６１に密接している。固定突起１２６１は画像検知ユニット１１が運動方向における位置を制御している。前述の固定柱１１６は固定槽１２５内に収められ、画像検知ユニット１１が読み取り方向における位置を制御している。そのため、画像検知ユニット１１が稼動時において振動が発生しないように確保できる。
【００１６】
図３と図４は本考案のＣＩＳスキャンモジュールの第二実施例を示している。本考案の第二実施例のＣＩＳスキャンモジュール２０は画像検知ユニット２１とサポートユニット２２を含めている。
【００１７】
画像検知ユニット２１は大体、長方形になっており、上表面２１１、下表面２１２、前表面２１３及び裏表面２１４を有している。画像検知ユニット２１は前、裏表面２１３、２１４の中間位置から外へ突出して一対の固定柱２１６を形成している。
【００１８】
サポートユニット２２はブッシュ２２１を有しており、ブッシュ２２１の上方に長方形の固定板２２２が設けられている。固定板２２２の両側は両端からそれぞれに外へ伸びて弾力アーム２２３を形成している。固定板２２２側の弾力アーム２２３の末端は外へ延伸して上へ曲がってから、中へ延伸して耐磨耗性シート２３で連結されている。固定板２２２の前、後両端は真ん中から上へ曲がって一対の係止シート２２４を形成している。係止シート２２４上に固定槽２２５が設置されている。固定板２２２は係止シート２２４の両側からそれぞれに上へ曲がって固定シート２２６を形成している。固定板２２２の片側は似ある一対の固定シート２２６は内壁から上へ伸びて垂直の固定突起２２６１を形成している。固定板２２２の他側にある一対の固定シート２２６は外へ伸びて固定レバー２２７を形成している。
【００１９】
本考案のＣＩＳスキャンモジュールの第二実施例２０は組み立てる際、画像検知ユニット２１をサポートユニット２２の固定板２２２の上方に置き、画像検知ユニット２１の前、裏表面２１３、２１４を固定シート２２６と係止シート２２４の内壁に密接させている。ここで、画像検知ユニット２１上の固定柱２１６は前述の固定槽２２５に収められているし、固定レバー２２７は画像検知ユニット２１の裏表面２１４に当接している。前述の弾力アーム２２３は画像検知ユニット２１の下表面２１２に突き当たっている。また、前述の耐摩耗性シート２３は画像検知ユニット２１の両端の上方に噛み合って固定されている。
【００２０】
固定レバー２２７の弾力の働きにより、画像検知ユニット２１は固定突起２２６１に密接するようになっている。この固定突起２２６１は画像検知ユニット２１が運動方向における位置を制御している。前述の固定柱２１６は固定槽２２５内に収められており、画像検知ユニット２１が読み取り方向における位置を制御している。そのため、画像検知ユニット２１が稼動時に振動しないように確保できる。
【００２１】
図５と図６は、本考案のＣＩＳスキャンモジュールの第三実施例３０を示している。本考案の第三実施例のＣＩＳスキャンモジュール３０は画像検知ユニット２１とサポートユニット３２を含めている。
【００２２】
その中、当該サポートユニット３２はブッシュ３２１を有しており、ブッシュ３２１の上方に固定板３２２が設置されている。固定板３２２の両側は中央から外へ延伸して弾力アーム３２３を形成している。固定板３２２の前、後両端は真ん中から上へ曲がって一対の係止シート３２４を形成し、係止シート３２４上に貫通している固定槽３２５が設けられている。固定板３２２は係止シート３２４の両側からそれぞれに上へ曲がって固定シート３２６を形成している。固定板３２２の片端にある一対の固定シート３２６は内壁から上へ伸びて垂直の固定突起３２６１を形成している。そして、固定板３２２の他側にある一対の固定シート３２６は上部から外へ延伸して固定レバー３２７を形成している。固定シート３２６は外部の下方から下へ延伸してストッパー３２８を形成している。ストッパー３２８の末端の下側周縁は連結板３２９によって接続されている。連結板３２９の外側は上に曲がる後に内へ延長し、耐磨耗性シート３３を成形します。その中、当該ストッパー３２８は固定シート３２６と連結している箇所に、条状凹み口３２８１が設けられ、固定レバー３２７はこの凹み口３２８１内に収められている。
【００２３】
本考案のＣＩＳスキャンモジュールの第三実施例３０は組み立てる際、画像検知ユニット２１をサポートユニット３２の固定板３２２の上方に置き、画像検知ユニット２１の前、裏表面２１３、２１４を固定シート３２６と係止シート３２４の内壁に密接させる。ここで、画像検知ユニット２１上の固定柱２１６は前述の固定槽３２５内に収められている。固定レバー２２７は画像検知ユニット２１の裏表面２１４に当接し、ストッパー３２８は画像検知ユニット２１の前、裏表面２１３、２１４に密接している。前述の弾力アーム３２３は画像検知ユニット２１の下表面２１２に当接しており、そして、前述の耐磨耗性シート３３は画像検知ユニット２１の両端の上方に引っかかって固定されている。
【００２４】
固定レバー３２７の弾力の働きにより、画像検知ユニット２１はしっかりと固定突起３２６１に密接している。この固定突起３２６１は画像検知ユニット２１が運動方向に置ける位置を制御している。そして、固定柱２１６は固定槽３２５内に収められており、画像検知ユニット２１が読み取り方向に置ける位置を制御している。そのため、画像検知ユニット２１が稼動時に振動しないように確保できる。
【００２５】
以上のとおりに、本考案のＣＩＳスキャンモジュール（１０、２０、３０）はそれぞれのサポートユニット（１２、２２、３２）に弾力アーム（１２３、２２３、３２３）とブッシュ（１２１、２２１、３２１）を設けている。弾力アームは上向けの張力を持っており、画像検知ユニット（１１、２１）がガラス面に密接するように確保し、従来の張力バネの機能を取り代わっている。しかも、運動方向においては優れた剛性を持っているため、画像検知ユニット（１１、２１）が運動時に振動を発生しないことが確保できる。弾力アームが画像検知ユニット（１１、２１）に直接に固定されているため、従来の設計における機械公差による隙間を抑止することができ、画像検知ユニット（１１、２１）が稼動中に形成された振動と騒音を防止することができる。
【図面の簡単な説明】
【００２６】
【図１】本考案のＣＩＳスキャンモジュールの第一実施例の立体図である。
【図２】本考案のＣＩＳスキャンモジュールの第一実施例の断面図である。
【図３】本考案のＣＩＳスキャンモジュールの第二実施例の立体図である。
【図４】本考案のＣＩＳスキャンモジュールの第二実施例の断面図である。
【図５】本考案のＣＩＳスキャンモジュールの第三実施例の立体図である。
【図６】本考案のＣＩＳスキャンモジュールの第三実施例の断面図である。
【図７】従来のＣＩＳスキャンモジュールの立体図である。
【符号の説明】
【００２７】
１０、２０、３０、４０  ＣＩＳスキャンモジュール
１１、２１、４１  画像検知ユニット
１２、２２、３２  サポートユニット
１３、２３、３３  耐摩耗性シート  
４２  ホルダー
４３  ブッシュ
４４  耐摩耗性シート
４５  張力バネ
４１１  係止柱
４２１  係止穴
１１１、２１１  上表面
１１２、２１２  下表面
１１３、２１３  前表面
１１４、２１４  裏表面
１１５  締め穴
１１６、２１６  固定柱
１２１、２２１、３２１  ブッシュ
１２２、２２２、３２２  固定板
１２３、２２３、３２３  弾力アーム
１２４、２２４、３２４  係止シート
１２５、２２５、３２５  固定槽
１２６、２２６、３２６  固定シート  
１２６１、２２６１、３２６１  固定突起（固定肋）
１２７、２２７、３２７  固定レバー（固定臂）
１３１  条状薄片
１３２  ロッキングピン（鎖合臂）
３２８  ストッパー    
３２８１  条状凹み口
３２９  連結板
【図１】
0003132611.tif 000003
【図２】
0003132611.tif 000004
【図３】
0003132611.tif 000005
【図４】
0003132611.tif 000006
【図５】
0003132611.tif 000007
【図６】
0003132611.tif 000008
【図７】
0003132611.tif 000009